(57)【特許請求の範囲】
【請求項１】
コップ形本体（３０，４０）であって、側壁（４１）と、該コップ形本体に収容された氷製広口コップ（１０）が次第に溶けて生じる水を収集する基部とを有するコップ形本体（３０，４０）を備えた氷製広口コップの支持具において、側壁（４１）は、氷製広口コップが直立姿勢にある時の氷製広口コップ（１０）の高さに沿って互いに隔てて配置された、氷製広口コップ（１０）の外壁を支持して保持するための領域を有し、これら領域は、コップ形本体の側壁から内方へ突き出す螺旋（３２，７２）を備えた螺旋要素により画定されて、氷製広口コップ（１０）全体の次第に溶けた水を支持具の基部へ向ける収集手段と、氷製広口コップ（１０）全体の次第に溶けた水が支持具の基部から氷製広口コップ側へ逃げるのを防止する止め手段とを提供する、氷製広口コップの支持具。
【請求項２】
請求項１に記載の支持具において、前記螺旋要素（３１）が可撓性材料で作成され、弾性リップ（３４）によりコップ形本体の側壁にぴったり取り付けて該コップ形本体の内側に装着される、氷製広口コップの支持具。
【請求項３】
請求項２に記載の支持具において、前記螺旋要素（３１）の各螺旋（３２）が、スペーサ要素（３３）によって、下にある螺旋から隔てられる、氷製広口コップの支持具。
【請求項４】
請求項１に記載の支持具において、前記螺旋要素が、コップ形本体（４０）の側壁（４１）に形成した波形によって構成される、氷製広口コップの支持具。
【請求項５】
請求項４に記載の支持具において、前記波形が、予め変形するように領域（４４）を形成したコップ形本体の側壁（４１）を、支持具の使用時に変形させて作られる、氷製広口コップの支持具。
【請求項６】
請求項５に記載の支持具において、前記コップ形本体（４０）の側壁（４１）が、使用前には、ほぼ滑らかで、それによって複数のコップ形本体を別のコップ形本体の内側に取り付け、その保管を容易にできる、氷製広口コップの支持具。
【請求項７】
請求項１に記載の支持具であって、前記コップ形本体の、氷製広口コップ（１０）を収容する領域と基部との間に挿入された可撓性材料の仕切り（２０）をさらに備える、氷製広口コップの支持具。
【請求項８】
請求項７に記載の支持具において、前記仕切り（２０）は、コップ形本体の側壁に選択的にぴったり取り付けて装着することができる環状壁（２２）と、この環状壁（２２）からコップ形本体の内方へ突き出し、コップ形本体の基部に向かって傾斜する環状リップ（２３）とを備える、氷製広口コップの支持具。
【請求項９】
請求項８に記載の支持具において、前記仕切り（２０）はさらに、環状リップ（２３）の上方で環状壁（２２）からコップ形本体の内方へ突き出した突起付属物（２５）を備え、これら突起付属物は、隣接した突起付属物の間に、溶けた水が氷製広口コップから環状リップ（２３）へ、さらにコップ形本体の基部へと滴下できるようにする周辺ダクト（２６）を画定する、氷製広口コップの支持具。
【請求項１０】
請求項７から９のいずれか一項に記載の支持具において、前記仕切り（２０）がシリコン・ゴムで作成される、氷製広口コップの支持具。
【請求項１１】
請求項１から１０のいずれか一項に記載の支持具であって、氷製広口コップ（１０）を作成するための型（６０）を備える、氷製広口コップの支持具。
【請求項１２】
請求項１１に記載の支持具において、前記型が、氷製広口コップ（１０）の側壁に対応する隆起（９１）を形成するため、少なくとも１つの螺旋形の窪みを備える、氷製広口コップの支持具。
【請求項１３】
請求項１１に記載の支持具において、前記型（６０）が、分離可能な状態で相互に結合されたオス要素（６０ａ）およびメス要素（６０ｂ）を備え、これらのオスおよびメス要素は、結合された状態で、氷製広口コップ（１０）を作成するために凍結させる水を充填する広口コップ形の空隙を画定する、氷製広口コップの支持具。
【請求項１４】
請求項１３に記載の支持具において、前記オス要素（６０ａ）およびメス要素（６０ｂ）は、これらオスおよびメス要素と一体で、引裂きによってこれらオスおよびメス要素要素から除去することができる接続帯（６４）によって相互に結合される、氷製広口コップの支持具。
【請求項１５】
請求項１３に記載の支持具において、前記オス要素（６０ａ）およびメス要素（６０ｂ）を結合して氷製広口コップ（１０）を作成するための空隙を画定した状態で、複数の支持具を相互の内側に重ねることができる、氷製広口コップの支持具。
【請求項１６】
請求項１３に記載の支持具において、前記メス要素（６０ｂ）の側壁（６６）が予め変形するように形成した領域を有し、このメス要素（６０ｂ）の側壁の変形によって、側壁（６６）に螺旋（７２）を形成し、メス要素（６０ｂ）内に作られた氷製広口コップ（１０）をメス要素（６０ｂ）から部分的に出現させる、氷製広口コップの支持具。
【請求項１７】
請求項１３から１６のいずれか一項に記載の支持具において、前記メス要素（６０ｂ）は、環状フランジ（７１）によって囲まれた穴（７０）がある基部（６７）を備える、氷製広口コップの支持具。
【発明の詳細な説明】
【０００１】
本発明は氷製広口コップの分野に関する。本発明は、特に、使用時に氷製広口コップを支持する支持具に関して開発されている。
【０００２】
ドイツ実用新案第DE 296 09 533 U号は、氷製広口コップを使用するための支持具と、相補のオスおよびメス型によって氷製広口コップを作成するシステムに関している。この文書から、結合すると、水を充填する一連の空隙を形成するような方法でオスおよびメス型を配置することが知られている。水が凍結すると、広口コップの形状の凍結構造を形成し、この凍結構造はオス型をメス型から分離することにより取り出される。このタイプの氷製広口コップを使用するには、氷製広口コップを支持し、場合によっては氷製広口コップが徐々に溶解するにつれて生じる水を収集する個々の支持具を提供することが必要である。当然、支持具は、氷製広口コップの内容物を飲むために、支持具と氷製広口コップを傾斜した場合に、収集された水が支持具から逃げないような方法で形成しなければならない。
【０００３】
上述した実用新案は、中空ステム（脚部）によって支持される円錐台形本体を備えた一型式の金属支持具を記述し図示し、この中空ステム内に、氷製広口コップが溶けるにつれて生ずる水が収集される。円錐台形本体の側壁は、中空ステムから広がり、支持具に収容される氷製広口コップの側壁の傾斜とほぼ同様に傾斜する。円錐台形の支持具の上縁からは細長い付属物が延在し、その端部には、氷製広口コップの外壁に接して、支持具の直立位置と、飲用中に支持具および氷製広口コップがとる傾斜位置の両方で、氷製広口コップを支持具に対して所定の位置に保持するための止めピンが形成される。
【０００４】
既知の支持具には多くの欠点があり、その第１は、氷製広口コップが支持具の内側で安定せず、特に外壁が溶解するに従って、大きい範囲で前後に移動する傾向があることである。さらに、氷製広口コップが溶けるにつれ、支持具の基部に向かって下降する傾向があり、したがってその前後の動作により、氷製広口コップの外壁の一部が支持具の側壁に接触するまで支持具に向かって移動し、この状態で、溶解した氷製広口コップの水の一部が遮断された支持具の基部またはステムに向かう経路を見いだすか、支持具から溢れることがある。この支持具の外側への滴下は、氷との直接的接触による強力な冷却によって支持具の外側に生ずる凝結に加わり、場合によってはこれが非常に広い区域に及ぶ。
【０００５】
知られている支持具の別の欠点は、支持具を次に使用するための準備時に、支持具に保持された水を全て除去することが困難なことである。実際、仕切りがあることによって、これが使用中に水が逃げるのを防止し、これは望ましいが、そればかりでなく、仕切りは、使用後に水を支持具から逃がすのも妨げる。
【０００６】
知られている支持具の別の欠点は、氷製広口コップの費用が、何度も再使用しなければならない支持具の費用より大幅に少ないことである。このため、例えばディスコやプール、浜辺、スポーツ・スタジアムなどの混雑した場所で、使用後に全て返却されたか点検が不可能である場合に、既知のタイプの支持具を使用することは不利である。
【０００７】
知られている支持具のさらなる欠点は、製造法が非常に複雑であり、保管するには嵩張ることである。さらに、これら支持具の美的形状は生産段階で画定され、したがって様々な形状およびスタイルの支持具を販売するために生産を差別化することは、特に費用がかかる。
【０００８】
概して、既知の支持具に関連する欠点に加えて、氷製広口コップの使用は、氷製広口コップ自体の生産技術が非常に小規模で複雑なため、それほど普及していない。知られている技術によって生産される氷製広口コップの生産性は比較的低く、これは人々が常に集まる場所へのその流通を制限する。さらに、氷製広口コップを家庭で使用するには、従来の技術で生産できる氷製広口コップの数が制限されることが決定的な要素ではなく、既知のオスおよびメス型が非常に嵩張ることと、特殊な支持具を提供する必要があることも、家庭用分野での氷製広口コップの流通を制限する。
【０００９】
本発明の目的は、まず第１に保管が簡単であり、いかなる場合にもコンパクトで、簡単に使用でき、快い外観である氷製広口コップの支持具を提案することにより、先行技術の欠点を克服することである。本発明のさらなる目的は、溶解の進んだ状態であっても氷製広口コップをしっかり支持し、支持具から水が滴下する危険性を大幅に低下させる氷製広口コップの支持具を提案することである。本発明の別の目的は、「使い捨て」製品として１回しか使用できない時点でも、費用が相殺されるよう、単純かつ安価に生産される上述したタイプの支持具を提供することである。本発明のさらなる目的は、美的に快く、生産費や保管料を高くすることなく、様々なタイプの美的形状で提供できる氷製広口コップの支持具を提供することである。本発明のさらに別の目的は、氷製広口コップの支持具として簡単に使用することもできる氷製広口コップを生産する型を提供することである。
【００１０】
上述した目的を達成するため、本発明の主題は、直立姿勢の場合の氷製広口コップの高さに沿って隔てて配置された、氷製広口コップの外壁を支持して保持するための複数の領域を備えることを特徴とする、傾斜外壁のある氷製広口コップの支持具である。
これらの領域は、氷製広口コップ全体の次第に溶けた水を支持具の基部へ向ける収集手段と、氷製広口コップ全体の次第に溶けた水が支持具の基部から氷製広口コップ側へ逃げるのを防止する止め手段とを提供する。
【００１１】
上記の支持して保持するための領域は、コップ形本体の側壁から内方に突き出す螺旋を備えた螺旋要素により画定される。
螺旋要素は、コップ形本体と一体形成することが好ましいが、それに限定されるものではない。コップ形本体はプラスチック材料の型で生産すると有利であるが、他の材料を使用する可能性も排除されない。螺旋の配置構成は、支持具に美的性質を追加で与えるような形状を採用してもよい。
【００１２】
上述した支持具の実施形態における追加の特徴は、可撓性材料の仕切りの設置である。このような仕切りは、支持具から簡単に除くことができ、飲用のために支持具を傾斜させた場合でも支持具の基部に水を保持することと、氷製広口コップが支持具内で所定の限界より下に移動するのを防止して、溶けた水が支持具の基部へと流れる領域を氷製広口コップが遮断するのを防止したり、氷製広口コップが支持具の側壁の比較的大きい区域と接触するのを防止したりする２つの機能がある。
【００１３】
上記螺旋要素の螺旋は、コップ形本体の側壁から内方に突き出して、氷製広口コップの溶解により生じた水を支持具の基部に向かって搬送し、それと同時に、飲用のために支持具を傾斜した場合に、支持具の基部に収集された水の障壁を構成する。
実施形態では、螺旋要素は可撓性材料で作成され、弾性リップによりコップ形本体の側壁にぴったり取り付けて該コップ形本体の内側に装着される着脱式である。この場合、螺旋要素は、側壁が氷製広口コップの側壁の傾斜とほぼ同程度に傾斜する市販の広口コップに使用することができる。或いは、螺旋要素は、従来の広口コップの側壁上に一体形成してもよい。
または、プラスチック材料のコップ形本体の側壁に、予め変形するように形成した領域を設けて、氷製広口コップ用の「使い捨て」支持具を生産することが可能であり、その側壁は、使用前に変形させて螺旋形の窪みを形成することができる。
【００１４】
本発明の利点の一つは、特に、安価なプラスチック材料から大量に「使い捨て」支持具を製造できる能力により、特に人々が常に集まる場所で氷製広口コップを大量に使用するのに都合がよいことである。この場合、オスおよびメス型によって従来の方法で生産できる氷製広口コップの数が不十分なことがある。特に、オス型とメス型との間に画定された空隙で水を凍結するのに要する長い時間に鑑みると、不十分である。この欠点を回避するために、氷製広口コップを、噴霧水を受けて凍結要素を形成するためのハウジングを備えた凝結プレートを有する製氷機によって作成することが好ましい。
【００１５】
最後に、本発明の主題は、水を入れ凍結させて氷製広口コップを作るための型として作用し、かつ形成した氷製広口コップの支持具として作用することができる、特に家庭用の氷製広口コップの支持具である。
【００１６】
さらなる特徴および利点は、非制限的な例として提供される添付図面を参照して記述する好ましい実施形態の以下の記述から明白になる。
【００１７】
先ず、本発明の氷製広口コップの支持具に適用可能な仕切りを、氷製広口コップの支持具の参考例に基づいて説明する。
図１および図２を参照すると、氷製広口コップ１０は、基部１２によって閉ざされた、特に円錐台形である傾斜した側壁１１を有し、全体が既知の生産方法によって、または以下でさらに述べる革新的方法によって完全に氷で形成される。側壁１１は、外面１３および内面１４を備え、これは基部１２の内面１２ａとともに飲料を保持する空洞１５を画定する。
【００１８】
氷製広口コップ１０は、氷製広口コップの側壁１１の傾斜にほぼ相当する程度まで傾斜した側壁１７を備えるゴブレット状の支持具１６に収容することができる。特に、支持具１６の側壁１７は、下部で狭くなり、その下端が、広くなった中空の支持脚部１８に結合される。支持脚部１８の内部空隙１８ａは、開口２１を通して、側壁１７によって画定された内部空間と連絡する。支持具１６は、プラスチック材料またはステンレス鋼で作成することが好ましいが、異なるタイプの材料を使用してもよい。
【００１９】
支持具１６の側壁１７に、例えば成形または打ち抜きによって形成された窪み１９は、側壁の周方向に互いに隔てて配置され、また側壁の垂直方向へも互いに隔てて配置される。窪み１９の配置構成は、図１および図２では、上部と下部の窪みが、支持具１６の側壁１７の母線である直線に沿って整列する規則的形状を採用しているが、これは例示であり、異なる形状を形成してもよい。
【００２０】
支持具１６の内側で、下部の窪みの列の下に環状の仕切り２０があり、これは例えばシリコンゴムなどの、変形可能な材料または可撓性材料で作成することが好ましい。仕切り２０は支持具の周方向に延在する環状壁２２を備え、この環状壁から下部の環状リップ２３が、水平面に対してわずかに下方向に傾斜して内方へ延びて、ダクト２４を画定する。図３で最もよく判かる突出付属物２５が、環状壁２２の上部から内方に延びて、隣接した突出付属物の間に周辺ダクト２６を画定する。図面に示す突出付属物２５の形状および数は、例示である。
【００２１】
支持具１６を使用する際には、氷製広口コップの外面１３が複数の支持領域にある窪み１９にもたれかかるように、氷製広口コップ１０をゴブレット状の支持具１６の内側に配置する。氷製広口コップ１０の重量が窪み１９に加えるわずかな圧力は、接触領域間の温度差とともに、外面１３を局所的に溶かす。したがって窪み１９は氷製広口コップの側壁１１にわずかに突入し、使用者が空洞１５に入った製品を飲みすするために支持具１６および氷製広口コップを傾斜させた場合に発生するような、氷製広口コップの前後の動きや変位を防止する。
【００２２】
窪み１９は、氷製広口コップが徐々に溶けて生じた水が流れることができる空間を形成するよう、氷製広口コップと支持具１６の側壁１７との間隔も維持する。溶けた水は仕切り２０の上部の周辺ダクト２６を通って滴下し、仕切り２０の下部の環状リップ２３を乗り越え、支持具１６の基部で、支持脚部１８の内部空隙１８ａに収集される。
【００２３】
氷製広口コップは、氷が次第に溶けて氷製広口コップの基部１２にひび割れまたは穴が生じない限り、中に入れた製品の飲用に使用することができる。このような段階へ氷の溶解が到達するまで、ゴブレット状の支持具１６の基部に収集される水の量は過剰ではない。したがって氷製広口コップ１０から内容物を飲むために支持具１６を傾けても、支持具の下部に収集された水は、仕切り２０の環状リップ２３によって逆流を止められる。
【００２４】
氷が溶けるに従って、氷製広口コップ１０は、側壁１１が薄くなり、支持具１６に対して下方に移動する傾向がある。窪み１９は、支持具の垂直方向にも隔てて配置されている為、氷製広口コップ１０が溶けて下方に移動しても、この氷製広口コップの十分な支持を保証する。このように、窪み１９は、氷の過剰な溶解のためにそれ以上飲用に使用できなくならない限り、氷製広口コップが支持具１６の内側で前後に移動したり変位したりしないようにする。支持具１６に対する氷製広口コップ１０の下降は、いかなる場合でも仕切り２０の存在によって、特に突出付属物２５によって制限され、氷製広口コップの基部１２は、ほぼ完全に溶けるまで突出付属物にもたれかかる。氷製広口コップ１０の基部１２が突出付属物２５にもたれかかった状態でも、溶けた水は周辺ダクト２６を通って、支持脚部１８に向けて滴下することができる。
【００２５】
使用後、支持具１６は、基部に収集した水を除去した後、再使用することができる。そのためには、仕切り２０を、例えばダクト２４に指を挿入し、支持具の上部開口に向かって引くことにより、除去するだけで十分である。仕切り２０が変形性または可撓性であり、また支持具の側壁１７が傾斜し、窪み１９が過剰に突き出していないので、仕切り２０の取り外しと、その後の支持具１６への再挿入が極めて簡単になる。
【００２６】
図４、図５および図６は、本発明による支持具の実施形態を示す。本発明の支持具は、コップ形本体と、このコップ形本体内に設けた螺旋要素とを含み、氷製広口コップ１０は、コップ形本体内で螺旋要素に支えられる。
この実施形態の支持具は、広口のコップ形本体３０を有し、コップ形本体３０内には、剛性または可撓性の螺旋要素３１が前もって挿入されている。コップ形本体３０は、従来のガラスまたはプラスチックの広口コップでもよい。
図面は特に、非制限的な例として、シリコン・ゴム製などの可撓性の螺旋要素３１を示している。この螺旋要素は、螺旋３２が、螺旋３２から突き出した付属物として一体形成することが好ましいスペーサ脚部３３により、互いに垂直に隔てて配置される。
【００２７】
図６は、螺旋要素３１の好ましい実施形態の断面を詳細に示し、この実施形態では、各螺旋３２が、密封状態でコップ形本体の側壁にもたれかかる外縁３４と、氷製広口コップ１０の側壁１１の外面１３がもたれかかる内縁３５とを有する。螺旋３２の断面は、例えば鋼線または弾性プラスチック材料の細線など、より剛性のある材料の内部芯３６を組み込んでもよい。スペーサ脚部３３は、個々の支持リム３７を備えてもよい。
【００２８】
使用時には、氷製広口コップ１０が次第に溶けて生成される水は、螺旋要素３１によって収集され、コップ形本体３０の基部へ向けられる。氷製広口コップ１０から内容物を飲むためにコップ形本体３０を傾斜させると、螺旋要素３１の螺旋３２が水に対する障壁として作用し、コップ形本体３０の基部から収集された水が氷製広口コップ側へ逃げるのを防止する。側壁１１が溶解し、次第に薄くなる間に、氷製広口コップ１０はコップ形本体３０内で徐々に下降するが、絶えず狭くなる螺旋３２に遭遇し、これら螺旋は、いかなる場合も氷製広口コップが前後に移動するのを防止する。
【００２９】
図７、図８および図９は、本発明の支持具の別の実施形態を示す。この実施形態では、予め変形するように形成した支持具４０が、例えばプラスチック材料で作成した「使い捨て」広口コップの形態で提供される。
図９で詳細に判かるように、支持具４０は、当初、ほぼ滑らかな円錐台形の側壁４１を有する。１つの支持具を別の支持具から取り外し、分離するのに都合がよいよう、図示の保管および積み込み形状で支持具間のスペーサとして作用する環状窪み４３を、支持具４１の基部４２の近傍に設けることが好ましい。
支持具４０の側壁４１には、螺旋形撓みおよび変形線を予め画定する。使用時、未変形形状の支持具４０を押しつぶすと、場合によっては支持具の口に対する基部４２のわずかな捻りも伴って、側壁４１に螺旋形波形の外観の変形が生じる。したがって、支持具４０を非常に低コストで大量に提供することが可能であり、人々が頻繁に集まる場所で、氷製広口コップで飲料を簡単かつ安価に提供することができる。支持具４０の使用時の機能は、図４から図６に示した実施形態の螺旋要素３１に関して上述したものとほぼ同様である。
【００３０】
特に人々が非常に集まる場所で使用するように、大量の氷製広口コップ１０を提供するためには、オスおよびメス型を使用して既知の方法で小数ずつ氷製広口コップを生産するのではなく、自動製氷機を使用すると有利である。
製氷機は概ね知られているので、詳細には検討しない。本明細書の記述では、これらの機械は通常は金属製、特にニッケルめっき銅で作成した窪みを備えた凝結プレートを備え、下に配置したエジェクタによって水の噴射をこの凝結プレートに向けると言うだけで十分である。凝結プレートは、水を凍結させ、窪みの内側に小さい氷のキューブまたはブロックが形成されるような温度まで冷却される。凝結プレートの温度を氷点より上に上げることにより、氷のブロックが凝結プレートの窪みから離れ、収集タンクに落下し、使用できる状態になる。
【００３１】
さらに詳細には、上述した機械によって氷を作成するために知られている方法は、
ａ）凝結プレートを冷却する段階と、
ｂ）凍結要素を形成するのに十分な所定の時間だけ、噴霧水を凝結プレートへ向ける段階と、
ｃ）凝結プレートの冷却を中断する段階と、
ｄ）噴霧水の流れを中断し、凝結プレートを加熱して、凍結要素が分離できるようにする段階とを含む。
【００３２】
上述した方法で氷製広口コップを最適に作成するには、凝結プレートの冷却の中断と加熱の開始との間に、所定の継続時間の待ち段階を挿入することが好ましく、これは約３０秒が好ましいが、それに制限されないことを出願人は発見した。凝結プレートに向ける噴霧水の流れは、中間待ち段階の間にも維持することが好ましい。冷却段階ａ）は、例えば約３０分で、その間、凝結プレートを約−１０℃の温度まで冷却する。
【００３３】
この方法の主な利点の一つは、氷製広口コップが曝される熱衝撃が減少し、氷製広口コップの破損の危険が低下することである。
【００３４】
図１０および図１１は、基部５１を備える凝結プレート５０の例を示し、基部は、例えばＡＢＳなどのプラスチック材料で作成することが好ましいが、それに制限されるものではない。基部は、水平に配置され、円形の開口５２を有し、各開口は成形リム５３を有し、この成形リムの中に周方向の切欠き５４があって、この切欠きに、ほぼ円錐形の側壁５７を備えたコップ形容器５６のカラー５５が係合する。側壁５７の最大内径は円形開口５２の直径よりわずかに小さく、下に配置したエジェクタによって供給される水が凍結して円錐形の氷製広口コップがコップ形容器５６の内側に形成されると、氷製広口コップを外すのに都合よくしている。コップ形容器５６の側壁５７の傾斜は、エジェクタによって供給された水が、徐々に凍結し、側壁の形状を辿り、完成した氷製広口コップの使用時に飲む、またはすする液体製品を保持する中心空洞を残すような傾斜である。
【００３５】
図１２、図１３および図１４は、氷製広口コップを作成して使用するための、本発明の支持具の別の実施形態を示し、この実施形態では、好ましくは「使い捨て」用に例えばプラスチック材料で作成した型６０を設けている。型６０は、円錐台形の側壁６１と、基部６２と、外側に曲がった環状リム６３とを具備したオス要素６０ａを有する。環状リム６３は、同様にほぼ円錐台形の側壁６６および基部６７を具備したメス要素６０ｂの開口６５と接続するため、環状の接続帯６４によって外側に延在する。接続帯６４は、使用中にオス要素６０ａをメス要素６０ｂから分離するよう、例えばタブ６４ａによって型６０から除去することができる。
【００３６】
メス要素６０ｂは、フックのように曲がって環状座６９を形成する環状リム６８を有する。基部６７は中心穴７０を有し、そこから環状フランジ７１が延在する。この実施形態では、側壁６６は、わずかな螺旋形状７２を有するが、これに代えて、図７から図９の実施形態に関して述べたように、螺旋形の変形可能領域を側壁に予め形成してもよい。
【００３７】
図１４から分かるように、オス要素６０ａおよびメス要素６０ｂによって画定された内部空隙を水で充填した後、幾つかの型６０を次々に重ねることができる。このように充填し、好ましくは積み重ねた型を、水が完全に凍結して、型６０に収容された氷製広口コップ１０を形成するのに必要な時間だけ、冷凍庫に配置する。
【００３８】
氷製広口コップ１０を用いて飲物を飲むかすするためには、環状の接続帯６４を除去して、オス要素６０ａをメス要素６０ｂから分離し、メス要素の側壁６６を変形させて、螺旋形状７２を強調するか、或いは変形可能領域を予め設けている場合には、螺旋形状７２を新たに形成する。このようにメス要素６０ｂを変形すると、氷製広口コップ１０がメス要素から部分的に出て、その側壁６６から隔てられる。次に、メス要素６０ｂを別の金属容器に収容し、この金属容器の環状リムをメス要素６０ｂの環状座６９内に取り付ける。これで、メス要素の中心穴７０が、氷製広口コップ１０が次第に溶けて生じた水の流れる開口になる。環状フランジ７１は、この時点では氷製広口コップ１０の支持具として働く型６０を、飲むために傾斜させた場合に、金属容器内に収集された水が氷製広口コップ側へ逃げるのを防止する。
【００３９】
図１５、図１６および図１７は、氷製広口コップの支持にも使用することができる氷製広口コップの型／支持具の参考例を示す。
詳細には、この型／支持具は、例えばステンレス鋼などの金属、またはガラス、プラスチック材料、ゴムなどで作成した砂時計形の主本体８０を有する。砂時計形本体８０は円錐台形の側壁を備えた２つの部分を有し、これらは、中心連絡ダクト８３を画定する最小幅の共通基部によって結合された上部分８１および下部分８２である。共通軸Ｙ−Ｙに対する円錐台形の側壁の傾斜は、２つの上部分および下部分８１と８２で等しいことが好ましい。また、上部分および下部分は、異なる高さで、したがって異なる直径の個々の口８１ａおよび８２ａを有することも好ましいが、それに制限されるものではない。氷製広口コップ１０のための支持部材８４は、上部分８１の側壁上に形成され、上部分の高さは下部分８２より小さい。支持部材は、例えば、図１および図２に関して上述したのと同様に、成形または打ち抜きによって形成してもよい。砂時計形本体８０は、管を変形して形成できるので都合がよい。
【００４０】
図１５から図１７の型／支持具は、さらに、環状壁８６とほぼ円錐形の凹角壁８７とを備えた着脱可能なキャップ８５を有し、凹角壁８７の傾斜は下部分８２の側壁の傾斜と同様である。キャップ８５は、例えばねじ、スナップ留め、または圧力接続などの既知の形式の接続で、或いは別の型式の接続により、場合によっては、例えば密封リングなどの密封部材を挿入して、着脱可能で漏れない方法で下部分８２の口８２ａに装着する。
【００４１】
氷製広口コップを作成するためには、型／支持具の下の口８２ａをキャップ８５で閉じ、下部分８２を完全に充填するような水の量、または少なくともキャップ８５の凹角壁８７の頂部が十分に覆われるようなレベルまで、上の口８１ａを通して水を注ぐ。図１６で示すように、水は、広口コップ形の空洞を画定する、キャップ８５の環状壁８６および凹角壁８７と、下部分８２の側壁との間の空間を充填する。したがって、水が凍結するにつれ、水は氷製広口コップを形成し、これはキャップ８５を砂時計形本体８０から外すことによって、型／支持具から簡単に取り出すことができる。このように作成した氷製広口コップは、その後、型／支持具の下の口８２ａをキャップ８５で閉じた後、支持部材８４を備えた砂時計形本体８０の上部分８１に収容することができる。氷製広口コップが次第に溶けて生じる水は、砂時計形本体８０の下部分８２に集まり、氷製広口コップから内容物を飲むために支持具を傾斜させても、下部分８２の傾斜した側壁に妨げられて、上部分側へ逃げない。
【００４２】
図１５から図１７に示した型／支持具の有利な特徴は、氷製広口コップが溶けて生じた水を、使用後に問題なく砂時計形本体から除去できることである。実際、水を除くには、砂時計形本体８０をひっくり返すか、キャップ８５を開く、またはその両方を行えばよい。大きく滑らかな表面を構成する型／支持具の構成部品が単純なので、その最適な洗浄も可能になる。
【００４３】
本発明の支持具には、図１８に示したタイプの氷製広口コップを用いることもできる。図示の氷製広口コップ１０は、側壁９０に螺旋形突起ないし隆起９１を備え、この螺旋形突起ないし隆起は、氷製広口コップを作るための型の側壁に、対応した窪みを設けて、その窪みにより形成する。このような隆起９１は、氷製広口コップを、例えば図４に示した支持具の内側に支持することを可能にし、その場合、氷製広口コップが次第に溶けて、この氷製広口コップと支持具の係合が良くなり、氷製広口コップが不意に前後に動く危険性をさらに低下させる。
【００４４】
本発明の原理を維持しつつ、本発明の範囲から逸脱することなく、上述し、図示した実施形態の形状および構造の詳細を広範囲に変更することができる。
【図面の簡単な説明】
【図１】  側壁上に互いに隔てて配置した突起を備える、氷製広口コップの支持具の参考例を斜視図で示す。
【図２】  図１の線II−IIで切り取った断面図である。
【図３】  図１および図２の支持具とともに使用するのに適した仕切りの平面図である。
【図４】  本発明による、着脱式螺旋形要素を備えた支持具の実施形態を斜視図で示す。
【図５】  図４の線IV−IVで切り取った断面図である。
【図６】  螺旋形要素の形状を示す、図５の細部の拡大図である。
【図７】  本発明の別の実施形態による、側壁に螺旋を形成した、変形して適切に作動する形状の、「使い捨て」タイプの支持具の縦断面図である。
【図８】  側壁が変形していない保管または積込み形状における、図７で示したタイプの支持具を幾つか重ねた状態を縦断面図で示す。
【図９】  図８の詳細を拡大断面図で示す。
【図１０】  氷製広口コップを大量生産する自動機械に使用する凝結プレートの要素を断面図で示す。
【図１１】  図１０の詳細を拡大図で示す。
【図１２】  本発明の別の実施形態による、氷製広口コップを生産し、その後に支持するためのオス型およびメス型の組合せを、氷製広口コップを生産する状態の断面図で示す。
【図１３】  図１２の実施形態を、その後の使用状態における断面図で示す。
【図１４】  氷製広口コップの生産中に積み重ねた状態にある図１２のオスおよびメス型の幾つかの形状を、概略断面図で示す。
【図１５】  氷製広口コップを生産し支持する型／支持具の参考例を示す。
【図１６】  図１５の型／支持具により氷製広口コップを生産する段階を示す。
【図１７】  図１５の型／支持具を、作成した氷製広口コップの支持に使用する段階を示す。
【図１８】  側壁に螺旋形隆起を備える氷製広口コップの例を示す正面図である。
【図１】
0004417564.tif 000002
【図３】
0004417564.tif 000003
【図２】
0004417564.tif 000004
【図４】
0004417564.tif 000005
【図５】
0004417564.tif 000006
【図６】
0004417564.tif 000007
【図７】
0004417564.tif 000008
【図８】
0004417564.tif 000009
【図９】
0004417564.tif 000010
【図１０】
0004417564.tif 000011
【図１１】
0004417564.tif 000012
【図１２】
0004417564.tif 000013
【図１３】
0004417564.tif 000014
【図１４】
0004417564.tif 000015
【図１５】
0004417564.tif 000016
【図１６】
0004417564.tif 000017
【図１７】
0004417564.tif 000018
【図１８】
0004417564.tif 000019